(57)【特許請求の範囲】
【請求項１】
自動車のボディとボンネットおよびトランクとの境界部のシートを切断するシートカッターであって、
シートカッター本体と、
このシートカッター本体の周縁の一部から切刃を突出させた状態で前記シートカッター本体に固定支持された刃物と、
前記突出した切刃を覆うように前記シートカッター本体の周縁の一部に着脱可能に配設され、前記切刃にシートを案内するためのシート案内切り込みが前記シートカッター本体の周縁部との間に形成されるとともに、このシート案内切り込みの入口に形成された先端に尖形突起を有するカバーと、
前記シートカッター本体の周縁部の内、シートカッター本体の動き方向の後方側である周縁部が他の周縁部よりも薄厚に形成されてなるガイド部とからなることを特徴とするシートカッター。
【請求項２】
前記刃物は、前記カバーが配設されている前記シートカッター本体の周縁部とは反対側の周縁部から挿入され、前記カバーに当接し得るように装着されていることを特徴とする請求項１に記載のシートカッター。
【請求項３】
前記カバーの前記突出した切刃を覆う部分の厚みは、シートカッター本体の厚みより薄く形成されていることを特徴とする請求項１または請求項２に記載のシートカッター。
【請求項４】
前記シートカッター本体およびカバーは、合成樹脂製としたことを特徴とする請求項１ないし請求項３のいずれか１項に記載のシートカッター。
【発明の詳細な説明】
【０００１】
【産業上の利用分野】
この発明は、例えば組立等が完了した自動車等を包装して塗装面の汚れを防止する薄いシートを簡単に切断することができるシートカッターに関するものである。
【０００２】
【従来の技術】
従来、組立および検査が完了した自動車の塗装面を保護するために、例えば、流れ作業の最終位置等において、自動車の両側部でルーフを見下ろす位置に居る４人の作業者が、自動車の上方にロール状に配設した薄いシートを引き出して適当な長さに切断し、その切断された長方形のシートの４隅部を持って自動車の上に被せて包装されている。
この包装後に、時にボンネットやトランクを開ける必要が生じることもあり、その場合には、ボディとボンネットおよびトランクとの境界部のシートを部分的に切断しなければならない。また、必要に応じて自動車の周囲の余分なシート部分を切断しなければならないこともある。
また、前記のようにシートを切断する場合に、シートの端縁から中に向かって切断する場合またはシートの中程から端縁に向かって切断する場合がある。
【０００３】
前記のような切断を行うために、例えば実開昭６２−１１５８７６号公報に開示されたような円形刃式カッターの使用が考えられる。この円形刃式カッターは図９に示すように、柄１１の先端側に設けた刃体取付部１２，１９の内、刃体取付部１２側にガイド突部１３を柄１１の基端側へ向けて延設して刃体取付部１９の一側縁とガイド突部１３の一側縁との間に切断用切込１４を形成し、刃体取付部１２，１９に支持した円形刃１８をこの切断用切込１４に露出させて構成したものである。
【０００４】
なお、１５はガイド突部１３に形成した円形刃１８の刃体差込み孔、１６は刃体取付部１２の円形刃１８の取付部に穿設したナット嵌合孔、１７はこのナット嵌合孔１６に嵌合するナットで、その内面に突設されたキー突起１７ａに螺子孔１７ｂが形成されている。刃体取付部１２に穿設したナット嵌合孔１６に嵌合したナット１７のキー突起１７ａにキー溝を有する円形刃１８の中心孔１８ａを嵌合して円形刃１８を装着し、その上に刃体取付部１９を被せ、刃体取付部１９に穿設したボルト挿入孔２０にボルト２１を挿入し、そのボルト２１を前記円形刃１８の中心孔１８ａに挿入したナット１７の螺子孔１７ｂに螺合して円形刃式カッターを組立てている。
【０００５】
【発明が解決しようとする課題】
前記のように、自動車の上に被せた薄いシートを切断する際、刃先が露出したカッターやナイフもしくは鋏等を使用すると、その刃先が不用意に自動車の塗装面に当たってその塗装面を傷付けてしまうおそれがあった。
また、シートの切断は、シートの端縁から切断する場合に限らず、シートの中程から端縁に向かって切断する場合もあるが、前記実開昭６２−１１５８７６号公報に開示されているような円形刃式カッターでは、ガイド突部１３の先端１３ａが柄１１側に向けて延設されているため、ガイド突部１３の先端１３ａをシートの中程に突き刺してから切断するということができない。
また、前記ガイド突部１３は柄１１と一体に形成されているため、このガイド突部１３が破損した場合は、その円形刃式カッターは使用することができなくなるという問題もある。
この発明は、前記のような問題をなくしたシートカッターを提供することを目的としたものである。
【０００６】
【課題を解決するための手段】
前記目的を達成するため、請求項１に係る発明は、自動車のボディとボンネットおよびトランクとの境界部のシートを切断するシートカッターであって、シートカッター本体２と、このシートカッター本体２の周縁の一部２ａから切刃１ａを突出させた状態で前記シートカッター本体２に固定支持された刃物１，１′と、前記突出した切刃１ａを覆うように前記シートカッター本体の周縁の一部２ａに着脱可能に配設され、前記切刃にシートを案内するためのシート案内切り込みＧが前記シートカッター本体２の周縁部との間に形成されるとともに、このシート案内切り込みＧの入口に形成された先端に尖形突起３ａを有するカバー３と、シートカッター本体２の周縁部の内、シートカッター本体２の動き方向の後方側である周縁部が他の周縁部よりも薄厚に形成されてなるガイド部２ｃとからなるシートカッター８としたものである。
【０００９】
また、請求項２に係る発明は、前記刃物１，１´は、前記カバーが配設されている前記シートカッター本体２の周縁部とは反対側の周縁部２ｂから挿入され、前記カバー３に当接し得るように装着されているシートカッター８としたものである。
【００１０】
また、請求項３に係る発明は、前記カバー３の前記突出した切刃を覆う部分の厚みは、シートカッター本体２の厚みより薄く形成されているシートカッター８としたものである。
【００１２】
また、請求項４に係る発明は、前記シートカッター本体２およびカバー３は、合成樹脂製としたシートカッター８としたものである。
【００１３】
【発明の実施の形態】
以下、この発明に係るシートカッターについて、図面を参照して詳細に説明する。ちなみに、図１はこの発明の第１の実施の形態を示すもので、（Ａ）はこのシートカッターの正面図、（Ｂ）は同平面図、（Ｃ）は同底面図であり、図２は同分解斜視図である。また、図３はこのシートカッターの第２の実施の形態を示すもので、（Ａ）はこのシートカッターの正面図、（Ｂ）は同平面図、（Ｃ）は同底面図、図４は同背面図である。さらに、図５はこのシートカッターの第３の実施の形態を示すもので、（Ａ）はこのシートカッターの正面図、（Ｂ）は同底面図である。なお、図６および図７は後述するシート案内間隔の入口に形成された尖形突起の各実施例を示し、図８は第１の実施の形態のシートカッターでシートが切断されている状態を示す作用図である。
【００１４】
請求項１に係る発明は、図１ないし図８に示すように、シートカッター本体２と、このシートカッター本体２の周縁の一部２ａ（シートカッター本体の前端）から切刃１ａを突出させた状態で前記シートカッター本体２に保持された刃物１，１′と、前記突出した切刃１ａに通ずるシート案内間隔Ｇを形成しながら前記突出した切刃１ａを覆うように前記シートカッター本体２の周縁の一部２ａに配設され、シートに突き刺すために前記シート案内間隔Ｇの入口に形成された尖形突起３ａを有するカバー３とからなるシートカッター８としたものである。
このようなシートカッター８としたことにより、図８に示すように、前記カバー３に形成した尖形突起３ａをシートＷの中程に突き刺し、そして、手に持ったシートカッター本体２を動かすことによって、刃物１の突出した切刃１ａにシートＷを案内して切断することができる。
また、刃物１の突出した切刃１ａを前記カバー３で覆ったことにより、製品を覆った薄いシートＷを切断する場合に、その刃物１の突出した切刃１ａが不用意に製品に当たって製品を傷付けるようなことがなくなる。
なお、前記シート案内間隔Ｇは、前記シートカッター本体２の周縁の一部２ａとカバー３に形成したシート案内片３ｂとの間に形成されており、このシート案内間隔Ｇの入口のシート案内片３ｂの先端に鋭角な尖形突起３ａが形成されている。
【００１５】
さらに、請求項１に係る発明は、図１ないし図８に示すように、前記シートカッター本体２の周縁部の内、シートカッター本体２の動き方向の後方側である周縁部２ｃ2を薄厚としたガイド部２ｃを形成したシートカッター８としたものである。前記のようなガイド部２ｃを形成したことにより、例えば、自動車のボディとボンネットおよびトランクとの境界部に被さるシートを切断する必要が生じたときに、前記ガイド部２ｃを前記境界部に嵌入し、かつ、この境界部に沿って動かすことによって前記シートＷをきれいに切断することができる。また、ガイド部２ｃは薄厚であるため、切断直後のシートＷの両切断縁が、移動するシートカッター本体２に引っ掛かって切断の邪魔になるという不具合が軽減される。
【００１６】
図５の（Ａ）に示す正面図は、シートカッター本体の一部を破断した図であり、この破断部分で刃物１の装着状態が示されている。図５の（Ｂ）は底面図であり、前記刃物１は、両刃を有するものとし、前記カバー３は、前記突出した両切刃に通ずる左右のシート案内間隔Ｇ，Ｇを形成しながら前記突出した両切刃を覆うように前記シートカッター本体２の周縁の一部２ａに配設され、シートに突き刺すために前記左右のシート案内間隔Ｇ，Ｇの入口に形成された左右の尖形突起３ａ，３ａを有するシートカッター８としたものである。このようなシートカッター８としたことにより、左右のどちらからでもシートの切断が可能となる。そのため、迅速な切断作業が要請される場合などに、シートカッター８の向きを変えながら作業しなければならないという煩わしさから開放され、非常に便利である。
【００１７】
また、請求項２に係る発明は、図１から図５に示すように、前記刃物１，１′を、シートカッター本体２の周縁の他の一部２ｂ（シートカッター本体の後端）から挿入し、前記カバー３に当接し得るように装着して、シートカッター本体２に固定支持し得るようにしたシートカッター８としたものである。このようなシートカッター８としたことにより、刃物１，１′をシートカッター本体２の周縁の他の一部２ｂからシートカッター本体２内に挿入して、容易に装着固定させることができる。
【００１８】
また、請求項３に係る発明は、図１から図５に示すように、前記刃物１，１′の突出した切刃１ａを覆うカバー３の厚みを、シートカッター本体２の厚みより薄くしたシートカッター８としたものである。このようなシートカッター８としたことにより、切断したシートＷの両切断縁が、カバー３に引っ掛かるという不具合が軽減され、シートＷの切断をスムーズに行うことができる。
【００１９】
また、請求項１に係る発明は、図１から図５に示すように、前記カバー３は、シートカッター本体２に着脱可能にしたシートカッター８としたものである。このようなシートカッター８としたことにより、前記カバー３が破損した場合に、その破損したカバー３のみを新しいものに取り換えれば修理が完了するため、経済的である。
【００２０】
また、請求項４に係る発明は、図１から図５に示すように、前記シートカッター本体２およびカバー３を、合成樹脂製としたシートカッター８としたものである。このようなシートカッター８としたことにより、シートＷの切断時に刃物１，１′の突出した切刃１ａを覆うカバー３やシートカッター本体２がシートで包装された製品に当たった場合でも、製品を傷付けるようなことがなく好適である。
【００２１】
なお、図１ないし図４に示すシートカッター本体２の平面および背面の形状は、矩形の１隅をカットしたような形状をしており、かつ、シートカッター本体２は、厚みが半分になった半体２1 ，２2 に２分割されている。
続いて、この発明の第１の実施の形態および第２の実施の形態について、詳細を説明する。
【００２２】
第１の実施の形態においては、図２に示すように、一方の半体２1 の内面２ｄに、円形の刃物１の直径より僅かに広い幅の溝２ｅが形成されており、この溝２ｅの中央部に長手方向のスリット溝２ｆが形成されている。前記溝２ｅには、シートカッター本体２の周縁の一部２ｂ（後端）から円形の刃物１が挿入され、さらに、その円形の刃物１の切刃１ａがシートカッター本体２の周縁の一部２ａ（先端）から突出する。
【００２３】
前記溝２ｅのシートカッター本体２の周縁の一部２ａ側には、この突出した切刃１ａを覆うカバー３の基端部３ｃが嵌合する凹部２ｇが形成されており、この凹部２ｇには、さらに孔２ｈが形成されている。そして、前記カバー３の基端部３ｃを凹部２ｇに装着することにより、この凹部２ｇに穿設した孔２ｈと、カバー３の基端部３ｃに穿設した取付孔３ｄおよび円形の刃物１に穿設した中心孔１ｂとが合致する。
【００２４】
また、前記他方の半体２2 の表面には、前記円形の刃物１の中心孔１ｂの周囲が露出し得る開口２ｉが形成されており、さらに、前記一方の半体２1 に形成したスリット溝２ｆに対応して前記開口２ｉに連接したスリット２ｊが形成されている。
【００２５】
図２に示すように分解された各構成部材を、シートカッター８として組み立てるには、前記一方の半体２1 の内面２ｄに形成された凹部２ｇに、まず前記カバー３の基端部３ｃを嵌合する。この際、前記凹部２ｇに穿設した孔２ｈとカバー３の基端部３ｃに穿設した取付孔３ｄとは合致する。
【００２６】
次に、前記カバー３の基端部３ｃの上に円形の刃物１を置く。この際、前記カバー３の基端部３ｃに穿設した取付孔３ｄと円形の刃物１に形成した中心孔１ｂとを合致させるとともに、円形の刃物１の切刃１ａをカバー３のシート案内片３ｂに形成した刃覆部３ｅに嵌合させる（図１（Ａ）および図２参照）。
【００２７】
さらに、この一方の半体２1 の上に他方の半体２2 を合わせ、前記円形の刃物１の中心孔１ｂ、カバー３の基端部３ｃの取付孔３ｄ、一方の半体２1 の凹部２ｇの孔２ｈとに順次、取付螺子４を挿通する。そして、一方の半体２1 の外面まで達して突き出た取付螺子４の先端にナット５を螺合し、さらに、取付螺子４の頭４ａを締めつけることによって刃物１およびカバー３を固定する。その後、他方の半体２2 と一方の半体２1 を貫通する複数の孔に、他方の半体２2 側から組立螺子６を差し込み、一方の半体２1 の外面から突き出た組立螺子６の先端部に組立ナット７を螺合してシートカッター８の組み立てが完了する。
【００２８】
このシートカッター８を組み立てた後に、前記円形の刃物１を交換するときには、まず、前記取付螺子４を緩めて取り外し、円形の刃物１の中心孔１ｂに先の尖った工具を嵌合する。続いて、この工具をスリット２ｊおよびスリット溝２ｆに沿わせながらシートカッター本体２の周縁の他の一部２ｂの方向に向けて円形の刃物１を移動させる。そうすると、この工具の移動に追従して前記円形の刃物１が、シートカッター本体２の周縁の他の一部２ｂの方向に移動し、他の一部２ｂから円形の刃物１が突き出たところで引き抜きが可能となる。そこで、古い円形の刃物１を引き抜いて、代わりに新しい円形の刃物１を挿入する。そして、前記同様の工具を使用し、かつ、前記の操作と逆の操作を行うことによって新しい円形の刃物１を所定の位置に装着する。
【００２９】
図３はこの発明のシートカッターの第２の実施の形態を示すもので、その（Ａ）はこのシートカッターの正面図、（Ｂ）は同平面図、（Ｃ）は同底面図、図４は同背面図であり、前記第１の実施の形態と相違する点は、前記円形の刃物１に代え、市販のカッター刃１′（長い菱形の刃物）を使用したものである。
【００３０】
このシートカッター８も、シートカッター本体２は一方の半体２1 と他方の半体２2 とに分割されており、一方の半体２1 の内面には、図３の（Ａ）および（Ｃ）に示すように、前記カッター刃１′の幅より僅かに広い幅の溝２ｅが形成され、この溝２ｅに沿って、シートカッター本体２の一方の半体２1 と他方の半体２2 とにスリット２ｋが形成されている。
この溝２ｅは、図３（Ａ）におけるシートカッター本体２の一方の半体２1 の周縁の他の一部２ｂ（後端）の左隅下部から周縁の一部２ａ（前端）の右隅下部に至るように形成されており、この溝２ｅにシートカッター本体２の周縁の他の一部２ｂから前記カッター刃１′が挿入され、カッター刃１′の切刃１ａがシートカッター本体２の周縁の一部２ａから突出する。また、この突出した切刃１ａを覆うように、前記第１の実施の形態と同様の作用を行うカバー３が、シートカッター本体２の周縁の一部２ａに設けられている。
【００３１】
前記市販のカッター刃１′の基端部には孔が形成されており、前記溝２ｅに挿入したカッター刃１′の基端部の孔に、図３（Ａ），（Ｂ），（Ｃ）における他方の半体２2 の表面のスリット２ｋから取付螺子４を貫通させ、一方の半体２1 の表面（シートカッター本体２の裏面）から突出した取付螺子４の先端部にナット５を螺合し、取付螺子４の頭４ａを締めつけてカッター刃１′を固定する。
【００３２】
前記市販のカッター刃１′の切れが悪くなると、カッター刃１′の先端から所定間隔毎に刻んである刻線から切刃１ａを折除し、新たな切刃１ａとなった部分が前記カバー３のシート案内片３ｂに突き当たるまで前進させる。このように、カッター刃１′の切れが悪くなるに従って、その切刃を折除したカッター刃１′とともに取付螺子４も前進させるため、カッター刃１′を挿入する溝２ｅの中間に長手方向に沿って、取付螺子４を摺動させるスリット２ｋが形成されている。
また、図４に示すように、一方の半体２1 の外面（シートカッター本体２の裏面）に、取付螺子４が摺動し得るスリット２ｋに沿って取付螺子４に螺合したナット５が当接し摺動し得る段溝２ｍが形成されており、この段溝２ｍにナット５が当接することによって、取付螺子４の頭４ａを回して締め付けるときにナット５が共に回らないようにしてある。
【００３３】
以上の内容が、この発明の第１および第２の実施の形態の詳細であり、前記シート案内間隔Ｇは、シートカッター本体２の周縁の一部２ａとカバー３に形成したシート案内片３ｂとの間に形成され、このシート案内間隔Ｇの入口であるシート案内片３ｂの先端に尖形突起３ａが形成されている。
ちなみに、第３の実施の形態の要部については前記したが、各部の詳細については、第１の実施の形態と共通するので省略する。
【００３４】
図６は前記カバー３のシート案内間隔Ｇの入口すなわちカバー３に形成したシート案内片３ｂの先端に形成された尖形突起３ａの一実施例を示し、図６の（Ａ）は正面図、同（Ｂ）は左側面図であり、この尖形突起３ａはシート案内片３ｂの先端部が円錐状に尖って形成されている。
図７は前記尖形突起３ａの他の実施例を示し、図７の（Ａ）は正面図、同（Ｂ）は底面図、同（Ｃ）は左側面図であり、この尖形突起３ａはシート案内片３ｂの先端部が三角錐状に尖って形成されている。
図８は第１の実施の形態のシートカッターでシートが切断されている状態を示す作用図であり、シートＷの中程にシートカッター８の前記尖形突起３ａを突き刺して、このシートカッター８を矢印に示すように動かしてシートを切断する。
【００３５】
【発明の効果】
以上説明したように、請求項１に係る発明のシートカッターによれば、前記シートカッター本体の周縁の一部から突出した切刃を覆う、カバーとシートカッター本体の周縁の一部との間に形成されたシート案内間隔の入口のカバーの先端に形成された鋭角な尖形突起をシートの中程に突き刺し、そして、手に持ったシートカッター本体を動かすことによって、刃物の突出した切刃にシートを案内して切断することができる。
また、刃物の突出した切刃を前記カバーで覆ったことにより、自動車等の製品を覆った薄いシートを切断する場合に、その刃物の突出した切刃が不用意に製品に当たって製品を傷付けるようなことがなくなる。
【００３６】
さらに、請求項１に係る発明のシートカッターによれば、前記ガイド部を形成したことにより、例えば、自動車のボディとボンネットおよびトランクとの境界部に被さるシートを切断する必要が生じたときに、前記ガイド部を前記境界部に嵌入し、かつ、この境界部に沿って動かすことによって前記シートをきれいに切断することができる。また、ガイド部は薄厚であるため、切断直後のシートの両切断縁が、移動するシートカッター本体に引っ掛かって、切断の邪魔になるという不具合が軽減される。
【００３８】
また、請求項２に係る発明のシートカッターによれば、刃物をシートカッター本体の周縁の他の一部からシートカッター本体内に挿入して、容易に装着固定させることができる。
【００３９】
また、請求項３に係る発明のシートカッターによれば、切断したシートの両切断縁が、カバーに引っ掛かるという不具合が軽減され、シートの切断をスムーズに行うことができる。
【００４０】
また、請求項１に係る発明のシートカッターによれば、前記カバーが破損した場合に、その破損したカバーのみを新しいものに取り換えれば修理が完了するため、経済的である。
【００４１】
また、請求項４に係る発明のシートカッターによれば、シートの切断時に刃物の突出した切刃を覆うカバーやシートカッター本体がシートで包装された製品に当たった場合でも、傷付けるようなことがなく好適である。
【図面の簡単な説明】
【図１】この発明のシートカッターの第１の実施の形態を示す図である。
【図２】この発明のシートカッターの第１の実施の形態を示す分解斜視図である。
【図３】この発明のシートカッターの第２の実施の形態を示す図である。
【図４】この発明のシートカッターの第２の実施の形態を示す背面図である。
【図５】この発明の第３の実施の形態のシートカッターの実施の形態を示す図である。
【図６】この発明の構成要素である尖形突起の一実施例を示す図である。
【図７】この発明の構成要素である尖形突起の他の実施例を示す図である。
【図８】この発明の第１の実施の形態のシートカッターの使用状態を示す図である。
【図９】従来の円形刃式カッターの分解斜視図である。
【符号の説明】
１，１′  刃物
１ａ    切刃
１ｂ    中心孔
２      シートカッター本体
２1     半体
２2     半体
２ａ    シートカッター本体の周縁の一部
２ｂ    シートカッター本体の周縁の他の一部
２ｃ    ガイド部
２ｃ1   周縁部
２ｃ2   周縁部
２ｄ    内面
２ｅ    溝
２ｆ    スリット溝
２ｇ    凹部
２ｈ    孔
２ｉ    開口
２ｋ    スリット
２ｍ    段溝
３    カバー
３ａ    鋭角な尖形突起
３ｂ    シート案内片
３ｃ    基端部３ｃ
３ｄ    取付孔
３ｅ    刃覆部
４    取付螺子
４ａ    頭
５    ナット
６    組立螺子
７    組立ナット
８    シートカッター
Ｗ    シート
１１    柄
１２    刃体取付部
１３    ガイド突部
１４    切断用切込
１５    刃体差込み孔
１６    ナット嵌合孔
１７    ナット
１８    円形刃
１９    刃体取付部
２０    ボルト挿入孔
２１    ボルト
Ｇ    シート案内間隔（シート案内切り込み）
【図１】
0003797583.tif 000002
【図２】
0003797583.tif 000003
【図３】
0003797583.tif 000004
【図４】
0003797583.tif 000005
【図５】
0003797583.tif 000006
【図６】
0003797583.tif 000007
【図７】
0003797583.tif 000008
【図８】
0003797583.tif 000009
【図９】
0003797583.tif 000010